(57)【要約】【課題】  本発明は、従来にない作用効果を発揮する画期的なチャック装置を提供することを目的とする。【解決手段】  筒状ワーク１を挟持して保持するチャック装置であって、前記筒状ワーク１を外方から挟持して保持するチャック部２を有し、このチャック部２は、筒状ワーク１の外方に挟持体３が環状にして等間隔で配設された構成であり、また、該挟持体３は、各挟持体３が互いに対向位置に配設され、更に、各挟持体３は筒状ワーク１の外周面を直角方向から挟持するように構成されたものである。【選択図】      図２
2005193313.tif 000002
【特許請求の範囲】
【請求項１】
筒状ワークを挟持して保持するチャック装置であって、前記筒状ワークを外方から挟持して保持するチャック部を有し、このチャック部は、筒状ワークの外方に挟持体が環状にして等間隔で配設された構成であり、また、該挟持体は、各挟持体が互いに対向位置に配設され、更に、各挟持体は筒状ワークの外周面を直角方向から挟持するように構成されていることを特徴とするチャック装置。
【請求項２】
請求項１記載のチャック装置において、前記挟持体は６個以上であることを特徴とするチャック装置。
【請求項３】
請求項１，２いずれか1項に記載のチャック装置において、前記筒状ワークは径の異なる筒状ワークが採用されていることを特徴とするチャック装置。
【請求項４】
請求項１〜３いずれか1項に記載のチャック装置において、前記挟持体は、筒状ワークの外周面に対して直角方向に接離移動する移動部材と、該移動部材に着脱自在に設けられ筒状ワークの外周面に当接する当接部材とで構成されていることを特徴とするチャック装置。
【発明の詳細な説明】
【技術分野】
【０００１】
本発明は、チャック装置に関するものである。
【背景技術】
【０００２】
従来から、例えば切削加工機に具備せしめられるものであって、クラッチハブやブレーキドラムなどの筒状ワークを挟持して保持するチャック装置（以下、従来装置）が提案されている。
【０００３】
この従来装置は、図９に図示したように筒状ワーク31を外方から挟持して保持するチャック部32を有しており、このチャック部32は、前記筒状ワーク31の外周面を直角方向から挟持する挟持体33を、円周方向に３箇所に配設した構造が一般的である。
【発明の開示】
【発明が解決しようとする課題】
【０００４】
ところが、この従来装置は、薄板で形成される筒状ワーク33を挟持した際、図１０に図示したように筒状ワーク33が歪んでしまうことがあり、よって、例えば筒状ワーク33の切削加工が良好に行われない場合があるなどの問題点がある。
【０００５】
本出願人は、前述した問題点に着目し、種々の実験・研究を繰り返し行った結果、従来にない作用効果を発揮する画期的なチャック装置を開発した。
【課題を解決するための手段】
【０００６】
添付図面を参照して本発明の要旨を説明する。
【０００７】
筒状ワーク１を挟持して保持するチャック装置であって、前記筒状ワーク１を外方から挟持して保持するチャック部２を有し、このチャック部２は、筒状ワーク１の外方に挟持体３が環状にして等間隔で配設された構成であり、また、該挟持体３は、各挟持体３が互いに対向位置に配設され、更に、各挟持体３は筒状ワーク１の外周面を直角方向から挟持するように構成されていることを特徴とするチャック装置に係るものである。
【０００８】
また、請求項１記載のチャック装置において、前記挟持体３は６個以上であることを特徴とするチャック装置に係るものである。
【０００９】
また、請求項１，２いずれか1項に記載のチャック装置において、前記筒状ワーク１は径の異なる筒状ワーク１が採用されていることを特徴とするチャック装置に係るものである。
【００１０】
また、請求項１〜３いずれか1項に記載のチャック装置において、前記挟持体３は、筒状ワーク１の外周面に対して直角方向に接離移動する移動部材５と、該移動部材５に着脱自在に設けられ筒状ワーク１の外周面に当接する当接部材６とで構成されていることを特徴とするチャック装置に係るものである。
【発明の効果】
【００１１】
本発明は上述のように構成したから、筒状ワークを良好に挟持して保持することができるなど従来にない作用効果を発揮する画期的なチャック装置となる。
【発明を実施するための最良の形態】
【００１２】
好適と考える本発明の実施形態を、図面に基づいて本発明の作用を示して簡単に説明する。
【００１３】
本発明は、筒状ワーク１をチャック部２で挟持して保持する場合、該チャック部２を構成する複数の挟持体３によって挟持して保持することになる。
【００１４】
具体的には、この複数の挟持体３は、各挟持体３が互いに対向位置に配設され、各挟持体３を筒状ワーク１の外周面を直角方向から挟持して保持することになる。
【００１５】
また、この挟持体３は、環状にして等間隔で配設されており、挟持して保持した際、筒状ワーク１に対してバランス良く力を分散させて押圧させることになる。
【００１６】
従って、前述した従来装置で筒状ワークを挟持した際に該筒状ワークが歪む原因としては、筒状ワークの全体にバランス良く挟持力が作用しておらず、片寄って強い挟持力が作用しているからであるが、この点、本発明はこのような問題が生じることは無く、筒状ワーク１の全体にバランス良く挟持力を分散させて作用させることができ、よって、良好な挟持且つ保持状態が得られることになり、しかも、挟持体３同志には間隔が設けられているから、互いに干渉し合わない状態で筒状ワーク１に対する放射方向へ接離移動でき、よって、種々の径寸法の筒状ワーク１を良好に挟持して保持することができる。
【実施例】
【００１７】
本発明の具体的な実施例について図面に基づいて説明する。
【００１８】
本実施例は、クラッチハブやブレーキドラムなどの筒状ワーク１を挟持して保持するものであり、図１に図示したように筒状ワーク１を切削加工する数種類の切削工具７（切削刃）が突設された切削加工機Ｍ（マシニングセンタ）に具備せしめられている。
【００１９】
具体的には、本実施例は、図１〜３に図示したように円柱状基体８の先端部に筒状ワーク１に被嵌され該筒状ワーク１を挟持して保持するチャック部２を有するもので、このチャック部２は、筒状ワーク１の外方に挟持体３が環状にして等間隔で配設された構成であり、また、該挟持体３は、各挟持体３が互いに対向位置に配設され、更に、各挟持体３は筒状ワーク１の外周面を直角方向から挟持するように構成されている。
【００２０】
具体的には、チャック部２は、断面コ字状の外筒体９内に、同様な断面の内筒体４が設けられ、この外筒体９と内筒体４との間には後述する摺動体10が設けられたものである。
【００２１】
外筒体９は、図３に図示したように適宜な金属製の部材で形成したものであり、この外筒体９の底部には前記円柱状基体８が連設されている。
【００２２】
また、内筒体４は、図３に図示したように適宜な金属製の部材で形成したものであり、その先端が前記外筒体９の先端部と連設されており、該外筒体９と内筒体４との間の空間Ｓには後述する摺動体10が摺動可能に配設され、更に、この内筒体４の内方空間に筒状ワーク１が配設される。
【００２３】
また、内筒体４は、その周面にして円周方向に複数（１６個）の貫通部11が形成されており、この各貫通部11は後述する挟持体３を配設するための部位である。
【００２４】
この各貫通部11は、互いに等間隔を介して１６個（偶数個）形成され、この貫通部11のうち、一の貫通部11の対向位置には必ず他の貫通部11が位置するように設けられており、この対向する貫通部11には挟持体３が配設され、この対向する挟持体３同志で筒状ワーク１を挟持して保持する。
【００２５】
摺動体10は、図３に図示したように適宜な金属製の部材で形成したものであり、円盤状の基板部10ａの表面周縁部に複数（１６本）のアーム部10ｂを突設して構成されている。
【００２６】
また、摺動体10は、その円盤部10ａの裏面中央位置に進退装置12が接続されており、この進退装置12は、駆動部12ａと、該駆動部12ａから突設され外筒体９の底部に貫通して摺動体10に連設される進退長尺部12ｂとからなり、よって、この進退装置12の作動により摺動体10は空間Ｓ内を摺動進退することになる。
【００２７】
また、摺動体10は、各アーム部10ｂの先端内側面に先端程拡開する傾斜部13が形成されており、この傾斜部13には凹溝13ａが設けられ、一方、外筒体９の貫通部11に設けられた挟持体３の外側面には前記傾斜部13と合致する傾斜部15が形成され、この傾斜部15には前記凹溝13ａをスライド移動するスライド体14が突設されている。尚、このスライド体14の先端はネジ部14ａに構成され、該ネジ部14ａによりスライド体14は前記挟持体３と螺合されている。
【００２８】
挟持体３は、図４，５に図示したように各アーム部10ｂの先端部に設けた傾斜部13に当接して筒状ワーク１の外周面に対して直交方向に接離移動する移動部材５と、該移動部材５に着脱自在に設けられ、筒状ワーク１の外周面に当接する当接部材６とで構成されている。
【００２９】
移動部材５は、適宜な金属製の部材で形成したものであり、前述した内筒体９に設けた断面方形状の貫通部11内をスライド移動自在に配設されている。
【００３０】
また、移動部材５の外端部にはアーム部10ｂの傾斜部13と合致してテーパー作用を発揮する傾斜部15が設けられており、この傾斜部15には前記スライド体14のネジ部14ａが螺着されるネジ孔15ａが設けられている。
【００３１】
従って、アーム部10ｂの進退移動に伴い、アーム部10ｂの傾斜部13と移動部材５の傾斜部15とのテーパー作用により、移動部材５及び当接部材６は貫通部11内をスライド移動し、よって、挟持体３は内筒体９から突没する（図６，７参照）。
【００３２】
また、移動部材５は、その内端部に当接部材６を着脱自在に連結する連結部16が設けられており、この連結部16は、左右両端部に逆ネジ17ａ，17ｂが形成された回動軸17と、この回動軸17の左右両端部に螺着される螺着体18とで構成されており、この左右の螺着体18は回動軸17を一方に回動させることで内方へ移動し、他方に回動させることで外方へ移動する。符号５ａは係合突部６ａと嵌合する凹部である。
【００３３】
この左右の螺着体18は、夫々その端部に係止爪部18ａが形成されており、互いに内方へ移動した際、当接部材６の外端部に形成される係合突部６ａを挟み込んで係止するように構成されている。
【００３４】
また、当接部材６は、図４，５に図示したように適宜な金属製の部材で形成されたものであり、その内端部には筒状ワーク１に当接する湾曲面からなる当接面６ｂが形成され、外端部には前述した移動部材５の螺着体18が係止する係合突部６ａが設けられている。
【００３５】
従って、この回動軸17及び螺着体18を移動部材５に装着し、この状態で移動部材５の外端部に設けた凹部５ａと当接部材６の内端部に設けた係合突部６ａとを嵌合させて該移動部材５と当接部材６とを連結し、前記回動軸17を回動させると移動部材５と当接部材６とは連結若しくは分離されることになる。
【００３６】
以上の構成から成るチャック部２は、筒状ワーク１の外方に挟持体３が環状にして等間隔Ｈで配設された構成であり、また、該挟持体３は、各挟持体３が互いに対向位置に配設され、更に、各挟持体３は筒状ワーク１の外周面を直角方向から挟持するように構成されている。
【００３７】
また、本発明者は、筒状ワーク１の良好な挟持及び種々の径寸法の筒状ワーク１への対応を考慮すると、挟持体３の数として計６個以上（計１６個が最適）であって、対象となる筒状ワーク１の円周７０〜８０％を挟持して保持するように挟持体３の数及び大きさ、挟持体３同志の間隔を設定することが良いことを確認している。
【００３８】
符号19は薄板状の筒状ワーク１の加工時に該筒状ワーク１の震動（ビビリ）を防止するワーク支持部、20は筒状ワーク１が適正位置に配設されたことを検知する適正位置検知装置であり、この適正位置検知装置20で筒状ワーク１が適正位置に配設されたことを検知するとチャック部２が挟持作動するように構成されている。
【００３９】
本実施例は上述のように構成したから、チャック部２で筒状ワーク１を挟持保持する際、進退装置12の前進作動に伴い摺動体10が前方へ移動すると、摺動体10に係るアーム部10ｂに連設される挟持体３が、該筒状ワーク１の円弧外周面に対して放射方向から接近移動して押圧し、筒状ワーク１を挟持して保持することになる。この状態で、切削工具７により筒状ワーク１の切削加工が行われる。
【００４０】
続いて、切削加工が終了した後、進退装置12を後退作動させて挟持体３を外側へ移動させることで筒状ワーク１に対する挟持保持は解除されることになる。
【００４１】
よって、本実施例によれば、筒状ワーク１の全体にバランス良く力を分散させて加えることができて良好な挟持且つ保持状態が得られることになり、しかも、挟持体３同士には間隔が設けられているから、互いに干渉し合わない状態で放射方向へある程度の距離を移動することができることになり、よって、種々の径寸法の筒状ワーク１に対応して良好に挟持して保持することができる。
【００４２】
尚、本発明は、本実施例に限られるものではなく、各構成要件の具体的構成は適宜設計し得るものである。
【図面の簡単な説明】
【００４３】
【図１】本実施例を具備した切削加工機の説明図である。
【図２】本実施例に係る要部の説明正面図である。
【図３】本実施例に係る要部の説明側断面図である。
【図４】本実施例に係る要部の分解斜視図である。
【図５】本実施例に係る要部の説明断面図である。
【図６】本実施例に係る要部の概略動作説明断面図である。
【図７】本実施例に係る要部の概略動作説明断面図である。
【図８】本実施例の使用状態説明図である。
【図９】従来装置の説明図である。
【図１０】従来装置の説明図である。
【符号の説明】
【００４４】
１  筒状ワーク
２  チャック部
３  挟持体
５  移動部材
６  当接部材
【図１】
2005193313.tif 000003
【図２】
2005193313.tif 000004
【図３】
2005193313.tif 000005
【図４】
2005193313.tif 000006
【図５】
2005193313.tif 000007
【図６】
2005193313.tif 000008
【図７】
2005193313.tif 000009
【図８】
2005193313.tif 000010
【図９】
2005193313.tif 000011
【図１０】
2005193313.tif 000012